(57)【要約】【課題】外観を損なうことなく、カバーの材質等に関する表示を判別することができるとともに、リサイクル等のための分別を適正に行うことができ、被取付部材に対する誤組み付けを無くすことができるカバーを備えたヘッドレストを提供することにある。【解決手段】カバー１１の底面に形成されたステー孔１１ａからヘッドレストステー１２の二本の脚部を突出させる。カバー１１の内部にスリット状の開口１１ｂから発泡合成樹脂原料を注入してクッション材１３を発泡成形する。前記開口１１ｂを形成する開口形成片に対し、前記カバー１１、クッション材１３及びヘッドレストステー１２の材質を表示した表示タグ２５を縫着する。この表示タグ２５を常には前記開口１１ｂ内に収容する。必要に応じて表示タグ２５を開口１１ｂを広げて該開口１１ｂから取り出し、ヘッドレストの各構成部品の材質を判別する。【選択図】図１
2008030711.tif 000002
【特許請求の範囲】
【請求項１】
スリット状の開口を有する袋状のカバーの内部にクッション材を収容し、カバーに形成した開口には、情報の表示が付された情報表示手段をカバーの内部に隠れるように設け、前記開口を広げることにより前記情報表示手段の表示内容を判別できるように構成したことを特徴とするカバーを備えた成形品。
【請求項２】
請求項１において、前記カバーは複数のカバー片を縫着して形成され、前記カバー片の二つの端縁には、前記スリット状の開口を形成するための開口形成片がカバーの内側にそれぞれ折り曲げ形成され、前記両開口形成片の少なくとも一方に前記情報表示手段としての表示タグが取り付けられていることを特徴とするカバーを備えた成形品。
【請求項３】
請求項２において、前記表示タグは、前記開口を通して外部に引き出し可能に設けられていることを特徴とするカバーを備えた成形品。
【請求項４】
請求項１において、前記カバーは複数のカバー片を縫着して形成され、前記スリット状の開口を形成するための前記カバー片の二つの端縁には、開口形成片がカバーの内側にそれぞれ折り曲げ形成され、前記両開口形成片の少なくとも一方に前記情報表示手段としての機能を兼用させたことを特徴とするカバーを備えた成形品。
【請求項５】
請求項１〜４のいずれか一項において、前記情報表示手段には、前記クッション材の材質が表示されていることを特徴とするカバーを備えた成形品。
【請求項６】
カバー片の二つの端部を内向きに折り曲げて対向する開口形成片を形成することによりスリット状の開口を形成した袋状カバーの内部に前記開口より発泡合成樹脂原料を注入してクッション材を発泡成形したカバー一体発泡成形品において、前記開口形成片の少なくとも一方の対向面に対し情報の表示が付された情報表示手段を設けたものであることを特徴とするカバー一体発泡成形品。
【請求項７】
請求項６において、前記情報表示手段は、表示タグであって、該表示タグは前記両開口形成片の間から外部へ引き出し可能に設けられていることを特徴とするカバー一体発泡成形品。
【請求項８】
請求項７において、前記表示タグは、一端が前記一方の開口形成片の対向面における成形品の表面側に縫着され、他端が成形品の表面側に指向するように折り曲げられて収容されていることを特徴とするカバー一体発泡成形品。
【請求項９】
請求項６〜８のいずれか一項において、前記情報表示手段には、前記クッション材の材質が表示されていることを特徴とするカバー一体発泡成形品。
【請求項１０】
請求項６〜９のいずれか一項において、カバーの外部に突出された二本の脚部を有するステーの基端部を前記カバーの内部に収容したことを特徴とするカバーを備えたヘッドレスト。
【発明の詳細な説明】
【技術分野】
【０００１】
本発明は、例えば自動車の座席シート用のアームレストあるいはシートバック等のカバーを備えた成形品、カバー一体発泡成形品及びヘッドレストに関する。
【背景技術】
【０００２】
例えば、自動車の座席シートのヘッドレストとして、特許文献１に開示されたものが提案されている。このヘッドレストのトリムカバーは、複数の所定形状に裁断された生地を接ぎ合わせて袋状に縫製されている。
【特許文献１】特開２００２−１６５６７０号公報
【発明の開示】
【発明が解決しようとする課題】
【０００３】
特許文献１に記載された従来のヘッドレストにおいては、内部のクッション材の材質やカバーの材質、該カバーの表皮層に施された表面処理の種別を表示するための表示タグがカバーに設けられていないので、その材質や種別を判別し難いという問題があった。このため、廃品となったヘッドレストの分別を行う際に適正な分別が困難となり、リサイクルが適正に行われないという問題があった。
【０００４】
又、カバーの材質や表面処理種別等を判別することができないので、自動車製造メーカーのシートバックへのヘッドレストの組み付け工程において取り違えが発生し、誤組み付けが起きるおそれもあった。
【０００５】
上記の問題を解消するため、ヘッドレストのカバーの表面に対し内部のクッショク材の材質や該カバーの材質、表面処理種別等を表示するための表示タグを縫着等により取り付けることもできるが、このように表面に縫い付けると、目に付き易いので、ヘッドレストの外観を損なうという問題がある。
【０００６】
上記の問題は、座席シートのシートバックや座席シートの側部に設けられたアームレスト等のカバーの内部にクッション材を収容した各種の成形品にも同様に生じる問題である。
【０００７】
本発明の目的は上記の従来の技術に存する問題点を解消して、外観を損なうことなく、クッションやカバーの材質等に関する表示を判別することができるとともに、リサイクル等のための分別を適正に行うことができ、被取付部材に対する誤組み付けを無くすことができる情報の表示が付与されたカバーを備えた成形品、カバー一体発泡成形品及びヘッドレストを提供することにある。
【課題を解決するための手段】
【０００８】
上記問題点を解決するために、請求項１に記載の発明は、スリット状の開口を有する袋状のカバーの内部にクッション材を収容し、カバーに形成した開口には、情報の表示が付された情報表示手段をカバーの内部に隠れるように設け、前記開口を広げることにより前記情報表示手段の表示内容を判別できるように構成したことを要旨とする。
【０００９】
請求項２に記載の発明は、請求項１において、前記カバーは複数のカバー片を縫着して形成され、前記カバー片の二つの端縁には、前記スリット状の開口を形成するための開口形成片がカバーの内側にそれぞれ折り曲げ形成され、前記両開口形成片の少なくとも一方に前記情報表示手段としての表示タグが取り付けられていることを要旨とする。
【００１０】
請求項３に記載の発明は、請求項２において、前記表示タグは、前記開口を通して外部に引き出し可能に設けられていることを要旨とする。
請求項４に記載の発明は、請求項１において、前記カバーは複数のカバー片を縫着して形成され、前記スリット状の開口を形成するための前記カバー片の二つの端縁には、開口形成片がカバーの内側にそれぞれ折り曲げ形成され、前記両開口形成片の少なくとも一方に前記情報表示手段としての機能を兼用させたことを要旨とする。
【００１１】
請求項５に記載の発明は、請求項１〜４のいずれか一項において、前記情報表示手段には、前記クッション材の材質が表示されていることを要旨とする。
請求項６に記載の発明は、カバー片の二つの端部を内向きに折り曲げて対向する開口形成片を形成することによりスリット状の開口を形成した袋状カバーの内部に前記開口より発泡合成樹脂原料を注入してクッション材を発泡成形したカバー一体発泡成形品において、前記開口形成片の少なくとも一方の対向面に対し情報の表示が付された情報表示手段を設けたものであることを要旨とする。
【００１２】
請求項７に記載の発明は、請求項６において、前記情報表示手段は、表示タグであって、該表示タグは前記両開口形成片の間から外部へ引き出し可能に設けられていることを要旨とする。
【００１３】
請求項８に記載の発明は、請求項７において、前記表示タグは、一端が前記一方の開口形成片の対向面における成形品の表面側に縫着され、他端が成形品の表面側に指向するように折り曲げられて収容されていることを要旨とする。
【００１４】
請求項９に記載の発明は、請求項６〜８のいずれか一項において、前記情報表示手段には、前記クッション材の材質が表示されていることを要旨とする。
請求項１０に記載の発明は、請求項６〜９のいずれか一項において、カバーの外部に突出された二本の脚部を有するステーの基端部を前記カバーの内部に収容したことを要旨とする。
【００１５】
（作用）
請求項１に記載のカバーを備えた成形品の発明は、カバーの開口を広げて情報表示手段を目視することにより、カバー等に関する表示、例えば材質や種別を判別することができ、廃品となった成形品のカバーのリサイクルを適正に行うことができる。又、被取付部材に対する成形品の誤組み付けを無くすこともできる。さらに、情報表示手段がカバーの内部に収容されているので、カバーの外観が損なわれることはない。
【００１６】
請求項２に記載のカバーを備えた成形品の発明は、前記表示タグが前記両開口形成片の少なくとも一方に取り付けられているので、前記表示タグを前記両開口形成片の間のスリット状の開口内に保持でき、表示タグの汚損による判読不良が防止される。
【００１７】
請求項３に記載のカバーを備えた成形品の発明は、前記表示タグをカバーのスリット状の開口の内部から外部に引き出すことができるので、表示タグの表示内容を容易に判別することができる。
【００１８】
請求項４に記載のカバーを備えた成形品の発明は、前記情報表示手段は、前記両開口形成片の少なくとも一方の開口形成片自体により形成されているので、部品点数を低減し、コストダウンを図ることができる。
【００１９】
請求項５に記載のカバーを備えた成形品の発明は、前記情報表示手段には、前記クッション材の材質が表示されているので、前記クッション材の材質を判別することができ、成形品のリサイクル等のための分別をさらに適正に行うことができる。
【００２０】
請求項６に記載のカバー一体発泡成形品の発明は、請求項１に記載のカバーを備えた成形品の発明の作用と同様の作用を奏する。
請求項７に記載のカバー一体発泡成形品の発明は、表示タグを両開口形成片の間から外部へ引き出すことにより、表示タグに表示された情報を容易に確認することができる。
【００２１】
請求項８に記載のカバー一体発泡成形品の発明は、前記表示タグの他端を引っ張ることにより、表示タグを両開口形成片の間から外部へ容易に引き出すことができ、表示タグに表示された情報の判別動作を迅速に行うことができる。
【００２２】
請求項９に記載のカバー一体発泡成形品の発明は、前記情報表示手段によりクッション材の材質を判別することができ、廃品となったカバー一体発泡成形品のクッション材のリサイクルを適正に行うことができる。
【００２３】
請求項１０に記載のヘッドレストの発明は、廃品となったヘッドレストのカバーのリサイクルを適正に行うことができる。又、シートバックに対するベッドレストの誤組み付けを無くすこともできる。
【発明の効果】
【００２４】
本発明によれば、スリット状の開口を広げてカバー内の情報表示手段に表示されたカバーに関する表示、例えばカバーの材質や種別を判別することができ、廃品となった成形品のカバーのリサイクル等のための分別を適正に行うことができる。又、情報表示手段は常にはカバーの内部に収容されているので、成形品のカバーの外観が損なわれることはない。
【発明を実施するための最良の形態】
【００２５】
以下、本発明を成形品としてのヘッドレストのカバーに具体化した一実施形態を図１〜図８に従って説明する。
図１に示すように、この実施形態の車両用座席シートに装着されるヘッドレストは袋状のヘッドレストカバー１１と、該カバー１１の内部に基端部１２ａを収容し、かつカバー１１の底面に形成された二つのステー孔１１ａから二本の脚部１２ｂを外部に突出させたヘッドレストステー１２と、前記カバー１１の底面に形成されたスリット状の開口１１ｂから該カバー１１の内部に注入された発泡合成樹脂原料が発泡成形されたクッション材１３とにより構成されている。
【００２６】
前記カバー１１は、図２に示すように、搭乗者の後頭部を受ける前面１４ａ及び前側底面１４ｂを形成する第１カバー片１４と、背面１５ａ及び左右両側面１５ｂを形成する第２カバー片１５と、後側底面１６ａを形成する第３カバー片１６とを、図６に示す縫着糸１７により縫着して全体として袋状に形成されている。前記第１カバー片１４の前側底面１４ｂの後端縁と、第３カバー片１６の前端縁との間には、前記スリット状の開口１１ｂが形成されている。図２に示すように前記第１カバー片１４の前側底面１４ｂの後端縁には、開口形成片１４ｃが形成されている。第３カバー片１６の前端縁にも、前記開口形成片１４ｃと対応するように開口形成片１６ｂが形成されている。そして、前記両開口形成片１４ｃ，１６ｂの両端縁を図３に示す縫着糸１８により縫着し、両開口形成片１４ｃ，１６ｂの間にスリット状の開口１１ｂを形成している。
【００２７】
前記カバー１１を製造する際には、各カバー片１４〜１６の表裏が逆となる状態で縫着作業が行われ、前記開口１１ｂを利用して、裏返し状態のカバー１１が反転される。
前記第１〜第３カバー片１４〜１６を構成する生地は、図５に示すようにヘッドレストカバー１１の表面に露出するファブリック等で構成される表皮層２１と、その表皮層２１の内側に積層され、例えばポリウレタンフォーム等で構成されたスラブ層２２とを備えている。また、スラブ層２２の内側には、後述するクッション材１３の成形工程において、開口１１ｂからカバー１１の内部に注入された発泡合成樹脂原料１３ａがスラブ層２２及び表皮層２１に浸透することを防止するためのポリウレタンよりなる薄膜状のフィルム層２３が形成されている。
【００２８】
次に、この発明の要部構成について説明する。
図２〜図４に示すように前記両開口形成片１４ｃ，１６ｂの互いに接触される対向面のうち一方の開口形成片１６ｂの対向面には、ヘッドレストの各構成部品の材質や種別を表示するための情報表示手段としての表示タグ２５が一側縁において縫い糸２６により縫着されている。図５に示すように、前記カバー１１の開口１１ｂが発泡体よりなるクッション材１３の押圧力により閉塞された状態では、表示タグ２５は両開口形成片１４ｃ，１６ｂの間に収容され、外部に露出しないようにしている。この表示タグ２５は、図３に実線で示すように前記スリット状の開口１１ｂ内に収容された位置から開口１１ｂを広げることにより同図二点鎖線で示すように外部に引き出して反転可能である。
【００２９】
前記表示タグ２５には、図４に示すように、前記カバー１１の表皮層２１の材質、加工種別、スラブ層２２の材質、表面処理、フィルム層２３の材質、クッション材１３の材質、ヘッドレストステー１２の材質及びヘッドレストステー１２に施されたメッキ材の材質等が表示されている。
【００３０】
前記クッション材１３は以下のように成形される。
即ち、図６に示すようにヘッドレストステー１２を装着したカバー１１を、開口１１ｂを上向きにした状態で下型３１，３２にセットするとともに、上型３３に、ヘッドレストステー１２を保持させる。又、図３に二点鎖線で示すように、前記表示タグ２５を開口形成片１６ｂから外部に反転させる。この状態において、上型３３に形成した挿入口３３ａからカバー１１の開口１１ｂに挿入した図７に示す注入ノズル３４を介して該カバー１１の内側にクッション材１３の原料である液状の発泡合成樹脂原料１３ａを注入し、発泡させる。このようにして、クッション材１３が発泡成形される。
【００３１】
前記発泡合成樹脂原料１３ａの注入後、図７に示す注入ノズル３４が開口１１ｂから抜き取られ、両開口形成片１４ｃ，１６ｂが図８に示すように接触される。クッション材１３の発泡成形が終了した後、ヘッドレストが成形型から取り外され、表示タグ２５が図８に示すように外部に反転された状態から図５に示すように前記表示タグ２５が図示しない押し込み用のプレートにより両開口形成片１４ｃ，１６ｂの開口１１ｂ内に押し込まれる。
【００３２】
上記実施形態のヘッドレストのカバー１１によれば、以下のような効果を得ることができる。
（１）上記実施形態では、第３カバー片１６の開口形成片１６ｂに対し、カバー１１の表皮層２１、スラブ層２２及びフィルム層２３の材質や表面加工の種別、ヘッドレストステー１２の材質、クッション材１３の材質等をそれぞれ表示する表示タグ２５を常には開口１１ｂ内に収容した。そして、必要に応じて、該表示タグ２５を開口１１ｂ内から引き出してカバー１１の外部に反転できるようにした。このため、表示タグ２５を開口１１ｂ内から外部に取り出して、ヘッドレストの各構成部品の材質や種別を判別することができる。従って、廃品となったヘッドレストの各構成部品のリサイクル等のための分別を適正に行うことができる。  
【００３３】
（２）上記実施形態では、スリット状の開口１１ｂを図３においてさらに広げることにより、表示タグ２５を反転しないで、該表示タグ２５に表示されたヘッドレストの各構成部品の材質や種別を判別することもできる。
【００３４】
（３）上記実施形態では、表示タグ２５に対し、カバー１１の表皮層２１に「表面処理の種別」を表示するようにした。このため、前記表示タグ２５によってカバー１１に例えば「抗アレルギー表面処理」等の視認困難な表面処理が施されているか否かを容易に識別することができる。従って、このヘッドレストを座席シートのシートバックの上端部に装着する際に、ヘッドレストの種別の視認が困難であっても識別を誤ることはなく、ヘッドレストの誤組み付けを防止することができる。
【００３５】
（４）上記実施形態では、表示タグ２５が常にはカバー１１の開口１１ｂの内部に収容されているので、カバー１１の良好な外観を維持することができる。
（５）上記実施形態では、表示タグ２５が開口１１ｂに収容されているので、表示タグ２５が汚れることは無く、表示内容を長期に亘って適正に維持することができる。
【００３６】
なお、上記実施形態は以下のように変更してもよい。
・図９に示す実施形態においては、前記表示タグ２５の一端を前記縫い糸２６により一方の開口形成片１６ｂの対向面の基端部（図９の上部）に縫着し、表示タグ２５の中間部をその中央部において折り畳んだ状態で、表示タグ２５が開口１１ｂ内に隠れるように収容している。表示タグ２５の折り畳まれた内側の表面にはカバー１１及びクッション材１３の材質や種別等の各種の情報が表示されている。又、前記表示タグ２５の他縁も前記基端部に配設され、縫着された一端より若干上方（成形品の表面側）に位置している。
【００３７】
この実施形態では、カバー１１内への発泡合成樹脂原料の注入時に前記表示タグ２５が二点鎖線で示す位置に反転された状態で、表示タグ２５に表示された情報が隠されるので、該情報の表示部の樹脂原料による汚損を防止することができる。又、前記表示タグ２５の他端が開口１１ｂの成形品の表面側に位置するように収容されているので、表示タグ２５の開口１１ｂ内からの引き出しを容易に行うことができ、表示タグ２５に表示された情報の判別を迅速に行うことができる。さらに、表示タグ２５の他端が開口１１ｂから若干露出するようにすれば、表示タグ２５の引き出しが一層容易となる。
【００３８】
・図１０に示すように、前記開口形成片１４ｃ，１６ｂ自体の少なくとも一方に対し、表示タグ２５としての機能を兼用させ、各構成部品の材質あるいは種別を直接印刷するようにしてもよい。この実施形態では、閉塞状態の開口１１ｂを広げて表示タグ２５に表示された各構成部品の材質や種別を判別する。この実施形態では、部品点数を低減して、コストダウンを図ることができる。
【００３９】
・図１１に示すように、開口形成片１４ｃ，１６ｂの少なくとも一方に対し表示タグ２５を反転不能に縫着してもよい。この実施形態では、カバー１１の開口１１ｂを広げて、表示タグ２５の表示内容を確認することができ、表示タグ２５が誤って開口１１ｂの外部にはみ出して外観が損なわれることはない。
【００４０】
・図１２又は図１３に示すように搭乗者側の部分が下方に突出した形状のヘッドレストに具体化してもよい。
・図示しないが、前記表示タグ２５に対し、前記カバー１１を形成する表皮層２１、スラブ層２２及びフィルム層２３の材質及び種別の少なくとも一方を表示するようにしてもよい。
【００４１】
・図示しないが、前記表示タグ２５に対し、前記クッション材１３及びヘッドレストステー１２のうち少なくとも前記クッション材１３の材質及び種別の少なくとも一方を表示するようにしてもよい。
【００４２】
・前記表示タグ２５には、カバー１１の表皮層２１の種別として、「抗アレルギー表面処理」を表示したが、これ以外に表皮層２１の品番、名称を表示してもよい。又、前記ヘッドレストステー１２、クッション材１３、スラブ層２２及びフィルム層２３の種別として、それらの品番、名称あるいは表面処理の内容などを表示するようにしてもよい。
【００４３】
・シートバックの場合は、別工程でカバー内に開口から成形したクッション材がシートバック内に収容される。そして、前記カバーの開口形成片を省略した開口とし、この開口を形成する端縁に表示タグ２５を設け、該表示タグ２５をシートバックの内部に収容する。
【００４４】
・ヘッドレストに代えて、自動車の座席シートの側部に配設されるアームレストに具体化してもよい。又、座席シートのシートバックに具体化してもよい。さらに、その他のカバーの内部にクッション材及びインサート部材を収容した成形品に具体化してもよい。
【図面の簡単な説明】
【００４５】
【図１】この発明をヘッドレストに具体化した一実施形態を示す後側下方から見た斜視図。
【図２】カバーを構成する第１〜第３カバー片の分離斜視図。
【図３】カバーを上下逆にした状態の斜視図。
【図４】表示タグの正面図。
【図５】カバーの要部を示す拡大断面図。
【図６】ヘッドレストの成形装置を示す断面図。
【図７】クッション材の発泡成形工程を説明する部分拡大断面図。
【図８】クッション材の発泡成形工程を説明する部分拡大断面図。
【図９】この発明の別の実施形態を示すヘッドレストの部分断面図。
【図１０】この発明の別の実施形態を示す表示タグの正面図。
【図１１】この発明の別の実施形態を示す表示タグの正面図。
【図１２】この発明の別の実施形態を示すヘッドレストの斜視図。
【図１３】この発明の別の実施形態を示すヘッドレストの斜視図。
【符号の説明】
【００４６】
１１…カバー、１１ｂ…開口、１２ａ…基端部、１２ｂ…脚部、１３…クッション材、１３ａ…発泡合成樹脂原料、１４ｃ，１６ｂ…開口形成片、１４〜１６…カバー片、２５…表示タグ。
【図１】
2008030711.tif 000003
【図２】
2008030711.tif 000004
【図３】
2008030711.tif 000005
【図４】
2008030711.tif 000006
【図５】
2008030711.tif 000007
【図６】
2008030711.tif 000008
【図７】
2008030711.tif 000009
【図８】
2008030711.tif 000010
【図９】
2008030711.tif 000011
【図１０】
2008030711.tif 000012
【図１１】
2008030711.tif 000013
【図１２】
2008030711.tif 000014
【図１３】
2008030711.tif 000015